(57)【特許請求の範囲】
【請求項１】
シャッタレリーズボタンが押されると、撮影レンズ及び撮像素子を介して得られる被写体像を示す画像信号をカメラ内の記録媒体に記録するカード型電子スチルカメラにおいて、カメラの外形形状が平坦で厚みが薄くなるように外装ケースを形成し、該外装ケースと略同形状のカメラ基板及び充電可能なシート状電池を外装ケース内に配置してなる薄型電子スチルカメラ。
【請求項２】
前記シート状電池は、前記カメラ基板を挟むように配置された２枚のシート状電池からなる請求項１の薄型電子スチルカメラ。
【請求項３】
前記シート状電池は、前記カメラ基板を挟むように１枚のシート状電池を折り返してなる請求項１の薄型電子スチルカメラ。
【発明の詳細な説明】
【０００１】
【発明の属する技術分野】
本発明は薄型電子スチルカメラに係り、特にカメラ本体内に電池電源をもつ薄型電子スチルカメラに関する。
【０００２】
【従来の技術】
従来のこの種の薄型電子スチルカメラには、ノートパソコン、ＰＤＡ（パーソナル情報端末）、電子手帳等のカードスロットに挿入して使用することができるものや、撮影時にバッテリーユニットに挿入し、バッテリーユニットから外すと、そのままノートパソコン等のカードスロットに挿入して画像データの転送が可能なものがある。
【０００３】
【発明が解決しようとする課題】
しかしながら、上記従来の薄型電子スチルカメラは、カメラ本体内に電池電源をもっておらず、撮影時にはノートパソコン等のカードスロットに挿入したり、バッテリーユニットに挿入して使用するため、単独では使用することができないという問題がある。また、従来の薄型電子スチルカメラは、カードスロットに挿入する部分のみが薄型化されており、撮影レンズを含む撮像部は薄型化が図れていない。
【０００４】
一方、カメラ本体内に電池電源をもった電子スチルカメラは、電池の膨らみをもった形態となり、全体的にフラットな薄型電子スチルカメラは不可能であった。
本発明はこのような事情に鑑みてなされたもので、カメラ本体内に電池電源を持ちながら電池の膨らみのない全体的にフラットで厚みの薄い薄型電子スチルカメラを提供することを目的とする。
【０００５】
【課題を解決するための手段】
本発明は前記目的を達成するために、シャッタレリーズボタンが押されると、撮影レンズ及び撮像素子を介して得られる被写体像を示す画像信号をカメラ内の記録媒体に記録する薄型電子スチルカメラにおいて、カメラの外形形状が平坦で厚み薄くなるように外装ケースを形成し、該外装ケースと略同形状のカメラ基板及び充電可能なシート状電池を外装ケース内に配置し、これによりカメラ本体内に電池電源を持ちながら電池の膨らみのない薄型の薄型電子スチルカメラを実現している。
【０００６】
【発明の実施の形態】
以下添付図面に従って本発明に係る薄型電子スチルカメラの好ましい実施の形態について詳説する。
図１は本発明に係る薄型電子スチルカメラの実施の形態を示す分解斜視図である。同図に示すように、この薄型電子スチルカメラは、主として表側と裏側に２分割された外装ケース１０、１２と、カメラ基板１４と、充電可能な２枚のシート状電池１６、１８とから構成されている。
【０００７】
上記外装ケース１０、１２は、カメラの外形形状が平坦で厚みの薄いカード状となるように形成されており、表側の外装ケース１０には、撮影レンズ２０、操作ボタン２４及びファインダ１９が位置する開口１０Ａ、１０Ｂ及び１０Ｃが形成され、裏側の外装ケース１２にはファインダ１９が位置する開口１２Ａが形成されている。
【０００８】
カメラ基板１４には、撮影レンズ２０、撮像素子（ＣＣＤ）２２、電源スイッチ、シャッタレリーズボタン等の操作ボタン２４や各種の回路が搭載されており、このカメラ基板１４は前記２枚のシート状電池１６と１８との間に配置される。
また、カメラ基板１４及びシート状電池１６、１８は、その平面形状が外装ケース１０、１２の平面形状と略同一に形成され、表側の外装ケース１０と裏側の外装ケース１２との間に収納される。尚、カメラ基板１４とシート状電池１８は、ファインダ１９を避けるための切欠き部１４Ａ、１８Ａを有し、シート状電池１６は、ファインダ１９を避けるための切欠き部１６Ａと、撮影レンズ２０及び操作ボタン２４を避けるための切欠き部１６Ｂ、１６Ｃとを有している。
【０００９】
図２は図１に示した薄型電子スチルカメラの内部構成を示すブロック図である。同図において、シャッタレリーズボタンを含む操作ボタン２４が操作されると、撮影レンズ２０を介してＣＣＤ２２の受光面に結像した被写体像は、ここで光電変換され、ＣＣＤ駆動回路３４から加えられる駆動パルスによりＣＣＤ出力信号として順次読み出される。
【００１０】
このＣＣＤ出力信号は、ＣＤＳ回路、ゲイン調整回路、色バランス調整回路等を有するアナログ処理回路２６に加えられ、ここでアナログ処理された後、Ａ／Ｄ変換器２８によってデジタル信号に変換され、デジタル画像処理回路３０に出力される。尚、タイミングジェネレータ３６から出力されるタイミング信号に基づいてＣＣＤ駆動回路３４から上記駆動パルスが出力されるとともに、アナログ処理回路２６、Ａ／Ｄ変換器２８等の同期がとられるようになっている。
【００１１】
デジタル画像処理回路３０は、輝度信号生成回路、色差信号生成回路、ガンマ補正回路、圧縮回路等を含み、これらの回路によって処理した画像データを内蔵メモリ（例えば、カメラ内蔵のフラッシュメモリ）３２に出力する。この画像データは、メモリ制御回路４０の制御により内蔵メモリ３２に記録される。尚、この内蔵メモリ３２は、複数枚（例えば、１０枚〜数１０枚程度）の画像データを記録することができる容量を有している。
【００１２】
システム制御回路３８は、カメラの各回路を統括・制御するもので、シャッタレリーズボタンを含む操作ボタン２４からの入力信号により撮影を行うための制御や、前記メモリ制御回路４０を介して内蔵メモリ３２への画像データの書込み制御、コネクタ４２を介してパソコン、プリンター等の外部機器への画像データの転送制御、画像データの消去制御等を行う。
【００１３】
尚、２枚のシート状電池１６、１８からは電源回路４４を介してカメラ基板１４上に搭載された上記各回路に所要の電源が供給されている。
図３は本発明に適用されるシート状電池の他の実施の形態を示す斜視図である。同図に示すように、このシート状電池５０は、１枚のシート状電池が中央部分で折り返され、その間にカメラ基板１４（図１参照）を挟むことができるようになっている。
【００１４】
尚、この実施の形態では、撮影レンズ２０の光軸方向が、薄型電子スチルカメラの厚み方向と一致するように撮影レンズ２０を設けるようにしたが、これに限らず、撮影レンズをカメラ本体の側面に設けるようにしてもよい。また、撮影レンズは外装ケースの表面と面一になるように設けることが好ましいが、わずかに突出するように設けてもよい。更に、コネクタ４２は薄型電子スチルカメラの裏面に設けるようにしてもよいし、側面に設けるようにしてよく、特に薄型電子スチルカメラの外形形状が、例えばＰＣＭＣＩＡカード等のメモリカードと同様に形成されれば、該メモリカードのカードコネクタと同一規格のコネクタを側面に設けることが好ましい。
【００１５】
【発明の効果】
以上説明したように本発明に係る薄型電子スチルカメラによれば、カメラの外形形状が平坦で厚みが薄くなるように外装ケースを形成し、この外装ケースと略同形状のカメラ基板及びシート状電池を外装ケース内に配置するようにしたため、カメラ本体内に電池電源を持ちながら電池の膨らみのない全体的にフラットで厚みの薄い薄型電子スチルカメラを実現することができる。
【図面の簡単な説明】
【図１】図１は本発明に係る薄型電子スチルカメラの実施の形態を示す分解斜視図である。
【図２】図２は図１に示した薄型電子スチルカメラの内部構成を示すブロック図である。
【図３】図３は本発明に適用されるシート状電池の他の実施の形態を示す斜視図である。
【符号の説明】
１０、１２…外装ケース
１４…カメラ基板
１６、１８、５０…シート状電池
１９…ファインダ
２０…撮影レンズ
２２…撮像素子（ＣＣＤ）
２４…操作ボタン
２８…Ａ／Ｄ変換器
３０…デジタル画像処理回路
３２…内蔵メモリ
３８…システム制御回路
４０…メモリ制御回路
４２…コネクタ
【図１】
0004098378.tif 000002
【図２】
0004098378.tif 000003
【図３】
0004098378.tif 000004